(57)【要約】【課題】本発明は内部に貯留させる液状塗布材、すなわちバルク液につき、複数種類存在するバルク液に対応でき、しかもそのバルク液の粘度が異なる場合であっても同じ規格の塗布具を用いることが出来、それぞれ液漏れが起こらないように構成し、芯材への貯留部からのバルク液の含浸が調整出来て、たとえバルク液の量が少なくなってきたとしても最後まで液切れしない塗布具を提供することを目的とする。【解決手段】本発明は、略円筒状をなすボディと、該ボディ内に略円筒状をなすシュノーケルを嵌挿して保持される芯状をなす塗布部材と、塗布部材に含浸する液状塗布材を貯留する貯留部と、前記塗布部材に取り付けられ、塗布部材への液状塗布材の含浸量を調整する吸収体と、前記ボディ内において前記シュノーケルを嵌挿した塗布部材の後端側を保持する保持部を有する尾栓とを備えたことを特徴とする。【選択図】  図１
2019017733.tif 000002
【特許請求の範囲】
【請求項１】
略円筒状をなすボディと、該ボディ内に略円筒状をなすシュノーケルを嵌挿して保持される芯状をなす塗布部材と、塗布部材に含浸する液状塗布材を貯留する貯留部と、前記塗布部材に取り付けられ、塗布部材への液状塗布材の含浸量を調整する吸収体と、前記ボディ内において前記シュノーケルを嵌挿した塗布部材の後端側を保持する保持部を有する尾栓と、を備え、
前記保持部は、円周方向に間隔をあけて、かつ円の中心部に向かい張り出して形成された保持片を有して形成され、該保持片は、塗布部材の後端側に形成された先細り状の尖端部側に向かって広がるテーパ面を表面に有し、保持片の基端側には、塗布部材の膨張長さ分を吸収する吸収空間が設けられた、
ことを特徴とする塗布具。
【請求項２】
略円筒状をなすボディと、該ボディ内に略円筒状をなすシュノーケルを嵌挿して保持される芯状をなす塗布部材と、塗布部材に含浸する液状塗布材を貯留する貯留部と、前記塗布部材に取り付けられ、塗布部材への液状塗布材の含浸量を調整する吸収体と、前記ボディ内において前記シュノーケルを嵌挿した塗布部材の後端側を保持する保持部を有する尾栓と、を備え、
前記保持部は、円周方向に間隔をあけて、かつ円の中心部に向かい張り出して形成された保持片を有して形成され、該保持片は、塗布部材の後端側に形成された先細り状の尖端部側に向かって広がるテーパ面を表面に有し、保持片の基端側には、塗布部材の膨張長さ分を吸収する吸収空間が設けられ、
塗布部材が液状塗布材を吸って軸方向に膨張したとき、前記保持片テーパ面が塗布部材の先細り状尖端部を受け止めて膨張した長さ分を軸方向へスライド移動させ、膨張長さ分は前記吸収空間で吸収するよう構成された、
ことを特徴とする塗布具。
【請求項３】
前記吸収空間は、前記貯留部と連通する第２貯留部ともなり、前記塗布部材は、第２貯留部に貯留された液状塗布材を前記後端側の尖端部より含浸する、
ことを特徴とする請求項１または請求項２記載の塗布具。
【請求項４】
前記塗布部材の外周面には、液状塗布材を含浸しない保護シート材で被覆され、軸方向両端側は前記保護シート材が削除されて液状塗布材が含浸可能とされた、
ことを特徴とする請求項１、請求項２または請求項３記載の塗布具。
【発明の詳細な説明】
【技術分野】
【０００１】
本発明は、例えばアイライナーやアイブローのような化粧用具、あるいは頭髪や眉毛などの部分白髪染め具など内部に貯留した液状塗布材を塗布部に浸潤させ、これを先端塗布部より塗布あるいは描画して使用する塗布具に関するものである。
【背景技術】
【０００２】
従来、アイライナーなど内部に液状塗布材を貯留し、この液状塗布材を繊維部材などからなる芯材により構成された塗布部材に吸収、浸潤させ、該塗布部材の先端塗布部によって塗布あるいは描画する塗布具が一般に知られている。
【０００３】
これら塗布具については、内部に貯留されている液状塗布材のバルク出量調整をするため、通常、前記芯材を覆う吸収体が設けられており、この吸収体により、芯材に送出される液状塗布材の出量を調整するものとしていた。
【０００４】
従来は、吸収体については一般的に外周面を蛇腹状の凹凸面に形成した樹脂成形品によって作製されており、その設計には多くの調整が必要で、また高額な金型費用が必要とされていた。
また、内部に液状塗布材を貯留する貯留部の領域も確定していて、この領域を変更できる構成にはなっていなかった。
【０００５】
ところで、前記液状塗布材は、使用の態様によって、その粘性や材質が多数異なっており、また前記貯留部に貯留させる液状塗布材の貯留量も様々異なるものである。
【０００６】
よって、上記のように、複数種類存在する液状塗布材に対応させ、しかもその貯留量の異なる場合も含めて同じ形状で同じ大きさの構造をなす塗布具や内部の吸収体を使用することは困難なこととされていた。
【０００７】
すなわち、長さなどを変更した樹脂成形品からなる吸収体を別部品として１つ１つ作製することは、高額な金型費用を必要とし、また、前記貯留量を変更するには塗布具の大きさそのものを抜本的に変更しなければならないとの課題があるからである。
【０００８】
そして、前記バルクの粘度は、バルク液の種類によって異なっており、粘度の異なったバルク液にあわせて、液漏れが起こらないようそれぞれ塗布具の形状を変更することはきわめてコスト高になり、到底容認されるものではなかった。
【０００９】
そこで前記バルクの粘度が異なる場合であっても、同じ規格の塗布具を用いることが出来、しかもそれぞれ液漏れが起こらないように構成された塗布具が要請されていた。
【００１０】
さらに、一般的な塗布具は、塗布具内に貯留されたバルク液が少なくなると、芯材に送出される液状塗布材の出量が保持できなくなる傾向にあった。なぜなら塗布具の使用状態はそれを平行にして使用するか或いは少し後端側を下げて使用することが多く、その様な使用状態であると、芯材への貯留部からのバルク液の含浸がうまく調整出来ないからである。
【先行技術文献】
【特許文献】
【００１１】
【特許文献１】特開平１１−４８６７８号公報
【特許文献２】特開２０１３−１０２９１０号公報
【特許文献３】特開２００４−３４４８５８号公報
【発明の概要】
【発明が解決しようとする課題】
【００１２】
かくして、本発明による塗布具は、前記従来の課題を解決するために創案されたものであって、内部に貯留させる液状塗布材、すなわちバルク液につき、その粘性や材質の異なるものが複数種類存在し、また前記貯留部に貯留させる液状塗布材の貯留量も様々異なるものであったとしても、この複数種類存在するバルク液に対応でき、しかもそのバルク液の粘度が異なる場合であっても、例えば大きさや形状など同じ規格の塗布具を用いることが出来、それぞれ液漏れが起こらないように構成し、さらには塗布具を平行にして使用するか或いは少し後端側を下げて使用した状態が長くなったとしても、芯材への貯留部からのバルク液の含浸が調整出来て、たとえバルク液の量が少なくなってきたとしても最後まで液切れしない塗布具を提供することを目的とするものである。
【課題を解決するための手段】
【００１３】
本発明による塗布具は、
略円筒状をなすボディと、該ボディ内に略円筒状をなすシュノーケルを嵌挿して保持される芯状をなす塗布部材と、塗布部材に含浸する液状塗布材を貯留する貯留部と、前記塗布部材に取り付けられ、塗布部材への液状塗布材の含浸量を調整する吸収体と、前記ボディ内において前記シュノーケルを嵌挿した塗布部材の後端側を保持する保持部を有する尾栓と、を備え、
前記保持部は、円周方向に間隔をあけて、かつ円の中心部に向かい張り出して形成された保持片を有して形成され、該保持片は、塗布部材の後端側に形成された先細り状の尖端部側に向かって広がるテーパ面を表面に有し、保持片の基端側には、塗布部材の膨張長さ分を吸収する吸収空間が設けられた、
ことを特徴とし、
または、
略円筒状をなすボディと、該ボディ内に略円筒状をなすシュノーケルを嵌挿して保持される芯状をなす塗布部材と、塗布部材に含浸する液状塗布材を貯留する貯留部と、前記塗布部材に取り付けられ、塗布部材への液状塗布材の含浸量を調整する吸収体と、前記ボディ内において前記シュノーケルを嵌挿した塗布部材の後端側を保持する保持部を有する尾栓と、を備え、
前記保持部は、円周方向に間隔をあけて、かつ円の中心部に向かい張り出して形成された保持片を有して形成され、該保持片は、塗布部材の後端側に形成された先細り状の尖端部側に向かって広がるテーパ面を表面に有し、保持片の基端側には、塗布部材の膨張長さ分を吸収する吸収空間が設けられ、
塗布部材が液状塗布材を吸って軸方向に膨張したとき、前記保持片テーパ面が塗布部材の先細り状尖端部を受け止めて膨張した長さ分を軸方向へスライド移動させ、膨張長さ分は前記吸収空間で吸収するよう構成された、
ことを特徴とし、
または、
前記吸収空間は、前記貯留部と連通する第２貯留部ともなり、前記塗布部材は、第２貯留部に貯留された液状塗布材を前記後端側の尖端部より含浸する、
ことを特徴とし、
または、
前記塗布部材の外周面には、液状塗布材を含浸しない保護シート材で被覆され、軸方向両端側は前記保護シート材が削除されて液状塗布材が含浸可能とされた、
ことを特徴とするものである。
【発明の効果】
【００１４】
本発明による塗布具であれば、内部に貯留させる液状塗布材につき、その粘性や材質の異なるものが複数種類存在し、また前記貯留部に貯留させる液状塗布材の貯留量も様々異なるものであったとしても、この複数種類存在する液状塗布材に対応でき、しかもそのバルク液の粘度が異なる場合であっても、例えば大きさや形状につき同じ規格の塗布具を用いることが出来、それぞれ液漏れが起こらないよう構成し、さらには塗布具を平行にして使用するか或いは少し後端側を下げて使用した状態が長くなったとしても、芯材への貯留部からのバルク液の含浸が調整出来て、たとえバルク液の量が少なくなってきたとしても最後まで液切れしない塗布具を提供できるとの優れた効果を奏する。
【図面の簡単な説明】
【００１５】
【図１】本発明による塗布具の構成を説明する説明図（１）である。
【図２】本発明による塗布具の構成を説明する説明図（２）である。
【図３】本発明による保持部の構成を説明する説明図（１）である。
【図４】本発明による塗布部材の後端側尖端部と保持部との当接状態を説明する説明図である。
【図５】本発明による保持部の構成を説明する説明図（２）である。
【発明を実施するための形態】
【００１６】
以下、図に基づいて本発明による塗布具１の構成を説明する。
本発明による塗布具１は、略円筒状をなすボディ２を有している。また、キャップ３及びインナーキャップ４を有している。
【００１７】
ボディ２内には芯状をなす塗布部材５が保持されている。当該塗布部材５は通常繊維部材で構成され、該塗布部材５は、略円柱状をなし、その外周面は保護シール材３０で被覆されており、もって外周面からは液状塗布材６が含浸せず、その軸方向両端部が切削などにより前記保護シール材３０が削除され、もってこの軸方向両端部は略針状の尖端形状をなしており、この尖端部から毛細管現象などによって液状塗布材６が含浸できるように構成されている。
尚、塗布部材５は液状塗布材６を含浸すると主に軸方向に膨張する。よって、本発明ではその膨張に対しても対応できる構成をも採用している。
【００１８】
図１乃至図５において、符号１７は、止栓１３と一体に形成された止栓付きの尾栓１７であり、前記塗布部材５の後端側に対向する部位には、前記塗布部材５の後端側尖端部２２を保持すべく凹部状に形成された保持部４１が設けられている。そして、この保持部４１は、円周方向に間隔をあけて、かつ円の中心部に向かい張り出して形成された、例えば、４つの保持片４２を有して形成されている。尚、形成される保持片４２の数について何ら限定はなく、３つでも構わないし、５つでも構わない。
【００１９】
しかして、前記４つの保持片４２は、図１乃至図５から理解されるように、それぞれ塗布部材５の後端側尖端部２２側に向かって広がるテーパ面を有する保持片４２として形成されており、この保持片４２の基端側には、塗布部材５の膨張長さ分を吸収する吸収空間４３が設けられている。よって、塗布部材５が液状塗布材６を吸って軸方向に膨張したとしても、４つの保持片４２の前記テーパ面が塗布部材５の後端側尖端部２２を受け止めて前記膨張した長さ分をスムーズに軸方向へスライドさせ、その膨張長さ分をさらに吸収空間４３で受け止めて吸収できるように構成されているのである。
【００２０】
尚、前記吸収空間４３は、貯留部１２と連通する液状塗布材６の第２貯留部ともなっており、塗布部材５は、この第２貯留部（吸収空間４３）に貯留された液状塗布材６を前記後端側尖端部２２より含浸して描画部材１０側に送りだせるように構成されている。
【００２１】
次に、符号７は、吸収体を示す。図１から理解される様に、当該吸収体７は、外周面に何らの凹凸形状も施さない円柱状に構成され、その軸方向中心部には、軸方向に向かって貫通する貫通孔８が設けられている。
【００２２】
そして、この貫通孔８に前記塗布部材５が貫挿する。従来、この吸収体は、外周が蛇腹状の凹凸面として構成された樹脂成形品で作製されていたが、前記したように、前記樹脂成形品の金型費用が比較的高額であり、そのため複数種類の形態をなす異なった吸収体を作製すると塗布具自体のコストが高価となってしまっていた。
【００２３】
しかして、本発明の吸収体７は、例えば、内部に連続気泡を有するフォーム材などの含浸力を有する柔軟部材で構成されており、その大きさや長さを簡単に切断することにより形状が変更できるものとなっている。さらに、長手方向や直径方向へ圧縮することにより形状を容易に変更できるようにも構成されている。そして、本発明において吸収体７は、軸方向に複数個取り付けることもできる。
【００２４】
符号９はノーズピースであり、前記芯状をなす塗布部材５の先端側を保持して、ボディ２の先端部に固着している。尚、前記塗布部材５の先端側には描画部材１０が被嵌して取り付けられており、該描画部材１０により含浸した液状塗布材６を使って、描画あるいは塗布するように構成されている。
【００２５】
次に符号２３はシュノーケルを示す。該シュノーケル２３は、長尺の略筒状に形成されており、内部の軸方向に貫通する貫通空間２５に前述した塗布部材５が挿通するように構成されている。
【００２６】
そして、図から理解されるように、塗布部材５の後端側はシュノーケル２３より露出し、その後端側尖端部２２が、前述したように保持部４１で保持されているのである。
【００２７】
また、シュノーケル２３の外周面とボディ２の内周面との間の空間は、液状塗布材６の貯留部１２として構成されている。そして、この貯留部１２は第２貯留部（吸収空間４３）と連通していることはすでに述べたとおりである。
【００２８】
ここで、シュノーケル２３の先端側は、前記貫通空間２５の形より大きな孔を有した膨出筒体２６として構成され、この膨出筒体２６内にはプラグ１１が嵌り込んでいる。
【００２９】
尚、前記したように、吸収体７は、塗布部材５が貫通する貫通孔８を有すると共に、尾栓１７側に位置する一方側端面はプラグ１１の端面と密着しており、描画部材１０側に位置する他方側端面はボディ２の係止端部により係止されてボディ２内に装着されている。
【００３０】
ところで、前記シュノーケル２３の後端側における貫通空間２５−１を形成する貫通孔８及び膨出筒体２６内のプラグ１１の貫通孔８は、塗布部材５の円柱状外周面にすべて接する円筒状には構成されておらず、例えば、６角形状或いは８角形状などの多角形状をなす貫通孔８として形成され、塗布部材５の外周面と前記貫通孔８とは例えば６点あるいは８点で接するが、他の外周面位置では隙間が生じ、その隙間、例えば前記貫通空間２５−１及び膨出筒体２６内のプラグ１１の貫通孔８との間に生じた隙間などから空気が流通できるようになっている。よって、この空気流通路により液状塗布材６が塗布部材５へスムーズに含浸出来るよう、即ち毛細管現象がスムーズに行えるよう構成されているのである。
【００３１】
すなわち、シュノーケル２３の中間部から先端側に位置する貫通空間２５−２の径は、塗布部材５の径より大きく形成されており、よってシュノーケル２３の中間部から先端側に位置する貫通空間２５−２は空気が流入できる隙間、すなわち空気流通路２８の一部として構成されている。
【００３２】
そして、この空気流通路２８は、ボディ２の先端側に形成された隙間、すなわち、先端側の空気流通路２８と連通し、シュノーケル２３の膨出筒体２６内のプラグ１１の貫通孔８に生ずる隙間及び前記貫通空間２５−２、さらにはシュノーケル２３の後端側における貫通空間２５−１と連通し、最終的に第２貯留部（吸収空間４３）と連通して、本発明の塗布具１における空気流通路２８を構成するのである。
【００３３】
ここで、本発明による塗布具１の組み立てにつき説明すると、例えば、先端側に、場合によっては、図２に示すように、所定の長さの圧縮部材２０と吸収体７が取り付けられ、この吸収体７の隣にプラグ１１が嵌着されたシュノーケル２３に被嵌された塗布部材５がボディ２の後方から差し込まれる。圧縮部材２０を介在させるのは吸収体７を軸方向に圧縮し、その圧縮率を変化させて液状塗布材の吸い上げ効率、すなわち、毛管効率を変化させ、液漏れ等を起こさないようにするためである。
【００３４】
次いで、尾栓１７をボディ２の後方から差し込んで、前記塗布部材５を所定の位置に装着させると共に、塗布部材５の後端側尖端部２２と保持部４１とを接触させて尾栓１７を装着する。尚、前記尾栓１７を装着する前に、あらかじめ貯留部１２には液状塗布材６を充填しておく必要がある。
【００３５】
さらに、ボディ２の先端側から、塗布部材５の先端側にノーズピース９が装着された塗布用ブラシなどの描画部材１０を連結させる。そして、ボディ２の先端側にインナーキャップ４およびキャップ３を取り付け、これにより塗布具１の組み立てが完了する。
【００３６】
ところで、前記液状塗布材６は、その種類によって粘度がまちまちであり、そのため粘度の小さな液状塗布材６の場合には、前記塗布部材５の先端に取り付けられた描画部材１０側より液漏れが生じてしまうことがあった。
【００３７】
しかしながら、従来ではこの液漏れを防止するために、所定の蛇腹型をなす吸収体を使用するものとしていたが、本発明ではさらに吸収体７などに改良を加え液漏れの完全な解消を達成するものとした。
【００３８】
本発明では、たとえ同じ長さで同じ大きさの塗布具であっても、それぞれの種類のバルク粘度にあわせて液漏れの生じない塗布具１が前記一種類の塗布具１で構成できる発明としたのである。
【００３９】
すなわち、塗布具１のボディ２内に本発明の吸収体７を軸方向に取り付け、この取り付けた１個の吸収体７、場合によっては複数個の吸収体７に隣接して略円柱状をなし、所定長さに設定した圧縮部材２０を取り付け、これにより複数個の吸収体７につき各々圧縮の程度を変えて圧縮できるようにしたのである。
【００４０】
そして、前記圧縮の程度が異なると、吸収体７の長さがそれぞれ異なるものとなり、その結果、液状塗布材６の吸い上げの効率がそれぞれの吸収体７で異なるものとなるのである。
【００４１】
吸収体７は軸方向に圧縮されるとき、その圧縮の程度が異なると連続気泡を有するフォーム材であるため内部の気泡密度が変化する。すると液状塗布材６を吸い上げる毛細管現象も異なることになり、取り付けられた１個の、あるいは複数個の吸収体７の軸方向においても液状塗布材６の吸い上げの効率が変化することになる。
【００４２】
圧縮部材２０は、通常描画部材１０側に所定の長さのものが１個取り付けられる。そして、この圧縮部材２０に隣接する吸収体７が最も圧縮の程度が高く、その結果、液状塗布材６の毛細管現象による吸い上げの効率が高くなる。
【００４３】
しかし、複数取り付けられた吸収体７の場合は、圧縮部材２０に接しない吸収体７にあっては、前記隣接する吸収体７と異なり、それほど圧縮されない。よってこの箇所での液状塗布材６の毛細管現象による吸い上げの効率はそれほど高くないのである。
【００４４】
この様に、塗布部材５の軸方向に複数個の吸収体７を直列に並べて取り付け、これを圧縮部材２０によって、各々の吸収体７の圧縮の程度を変えて圧縮し、もって、各々の吸収体７の毛細管現象による液状塗布材６の吸い上げの効率を変化させれば、粘度の異なる液状塗布材６に対応できて、液漏れを生じさせない塗布具１を形成できるものとなる。
【００４５】
そして、図２に示すように、吸収体７の一方側に圧縮部材２０を介在させれば、介在させた圧縮部材２０の長さの分だけ、吸収体７は長手方向に圧縮されることになる。
【符号の説明】
【００４６】
１        塗布具
２        ボディ
３        キャップ
４        インナーキャップ
５        塗布部材
６        液状塗布材
７        吸収体
８        貫通孔
９        ノーズピース
１０      描画部材
１１      プラグ
１２      貯留部
１３      止栓
１７      尾栓
２０      圧縮部材
２２      塗布部材の後端側尖端部
２３      シュノーケル
２５      貫通空間
２５−１  シュノーケルの後端側における貫通空間
２５−２  シュノーケルの中間位置から先端側に位置する貫通空間
２６      膨出筒体
２８      空気流通路
３０      保護シール材
４１      保持部
４２      保持片
４３      吸収空間
【図１】
2019017733.tif 000003
【図２】
2019017733.tif 000004
【図３】
2019017733.tif 000005
【図４】
2019017733.tif 000006
【図５】
2019017733.tif 000007